(57)【要約】【課題】部材同士を断熱材を介してしっかりと結合でき、しかも、それを容易に行うことができる、断熱材を介した部材同士の結合構造を提供する。【解決手段】例えば、外壁パネル１において、パネルフレーム３と縦胴縁２との間に発泡樹脂系又は繊維系の断熱材４が介設され、縦胴縁２に間隔保持用のビス８，８がねじ込まれ、該ビス８，８の先端部がパネルフレーム３に当接することで、パネルフレーム３と縦胴縁２との間に所定の間隔が保持され、縦胴縁２に設けられたネジ通孔１０に結合用のビス７が通され、該ビス７の先端側がパネルフレーム３にねじ込まれてパネルフレーム３と縦胴縁２とが結合されている。【選択図】      図１
2005282141.tif 000002
【特許請求の範囲】
【請求項１】
一方の部材ともう一方の部材との間に発泡樹脂系又は繊維系の断熱材が介設され、両部材が断熱材を介して結合された部材同士の結合構造であって、
一方の部材に間隔保持用のビスがねじ込まれ、該ビスの先端部がもう一方の部材に当接することで、断熱材の介設された部材間の間隔が保持されていることを特徴とする、断熱材を介した部材同士の結合構造。
【請求項２】
前記両部材が、一方の部材に設けられたネジ通孔に結合用のビスが通され、該ビスの先端側がもう一方の部材にねじ込まれて結合され、
該結合用ビスと前記間隔保持用ビスは、互いに隣り合い、ビス頭部を同じ側に位置させて平行に備えられている請求項１に記載の、断熱材を介した部材同士の結合構造。
【発明の詳細な説明】
【技術分野】
【０００１】
本発明は、断熱材を介した部材同士の結合構造に関する。
【背景技術】
【０００２】
例えば建物において、図４に示すように、窯業系などの外壁面材５１とパネルフレームなどの下地５２との間に、発泡樹脂系又は繊維系の断熱材５４を介設し、外壁面材５１を、ビス５３で断熱材５４を介して下地５２に締結して取り付ける場合に、外壁面材５１をそのままビス５３で下地５２に結合したのでは、断熱材５４の柔軟性によってしっかりとした結合状態を得るのが困難であることから、図４（ロ）に示すような間隔保持用の軸孔付きスペーサー５５を用い、図４（イ）に示すように、該スペーサー５５を挟み込み、スペーサー５５を貫通するようにしてビス５３を打つことで、外壁面材５１と下地５２とを結合することとしている。
【発明の開示】
【発明が解決しようとする課題】
【０００３】
しかしながら、上記のような構造では、専用のスペーサー５５を用意しなければならず、また、断熱材５４にスペーサー設置用の立体的な孔５６を明け、そこにスペーサー５５を設置しなければならず、外壁面材５１の取付けが厄介なものになるという問題があった。
【０００４】
本発明は、上記のような問題点に鑑み、部材同士を断熱材を介してしっかりと結合することができ、しかも、それを容易に行うことができる、断熱材を介した部材同士の結合構造を提供することを課題とする。
【課題を解決するための手段】
【０００５】
上記の課題は、一方の部材ともう一方の部材との間に発泡樹脂系又は繊維系の断熱材が介設され、両部材が断熱材を介して結合された部材同士の結合構造であって、
一方の部材に間隔保持用のビスがねじ込まれ、該ビスの先端部がもう一方の部材に当接することで、断熱材の介設された部材間の間隔が保持されていることを特徴とする、断熱材を介した部材同士の結合構造によって解決される。
【０００６】
この構造では、部材間の間隔が間隔保持用ビスによって保持されているので、部材同士を断熱材を介してしっかりと結合することができる。しかも、この間隔保持をビスで行う構成としているので、専用のスペーサーや、断熱材への孔明け、孔へのスペーサーの設置等を行う必要がなく、ビスを打つだけでしっかりとした間隔保持状態を形成することができ、部材同士の結合を容易に行うことができる。
【０００７】
上記の構造において、両部材が、一方の部材に設けられたネジ通孔に結合用のビスが通され、該ビスの先端側がもう一方の部材にねじ込まれて結合され、
該結合用ビスと前記間隔保持用ビスは、互いに隣り合い、ビス頭部を同じ側に位置させて平行に備えられているとなおよい。この場合は、部材同士の結合も、部材間の間隔保持も同種のビスで行うことができるし、しかも、同じ側からのアクセスでそれぞれのビスを打っていくことができ、作業を能率良く行っていくことができる。
【発明の効果】
【０００８】
本発明は、以上のとおりのものであるから、部材同士を断熱材を介してしっかりと結合することができ、しかも、それを容易に行うことができる。
【発明を実施するための最良の形態】
【０００９】
次に、本発明の実施最良形態を図面に基づいて説明する。
【００１０】
図１乃至図３に示す実施形態の結合構造は、外壁パネル１において、鋼製縦胴縁２と鋼製パネルフレーム３との結合に適用した場合のもので、胴縁２とパネルフレーム３との間に発泡樹脂系又は繊維系の断熱材４が介設されている。なお、５は外壁面材、６は面材取付け金物である。
【００１１】
そして、図１（イ）に示すように、縦胴縁２には、結合用のビス７を通すビス通し孔１０が設けられると共に、該ビス通し孔１０の両サイドに、間隔保持用のビス８，８をねじ込む下孔１１，１１が設けられ、また、パネルフレーム３の側には、前記ネジ通し孔１０と同軸状態に、結合用ビス７の先端側をねじ込む下孔１２が設けられている。
【００１２】
縦胴縁２とパネルフレーム３の結合は、まず、図１（イ）（ロ）に示すように、縦胴縁２の側から間隔保持用のビス８，８を縦胴縁２の下孔１１，１１にねじ込んでいき、断熱材４を貫通し、その先端部をパネルフレーム３に当接させる。これにより、縦胴縁２とパネルフレーム３とが所定の間隔に保持される。
【００１３】
しかる後、図１（ロ）（ハ）に示すように、同じ胴縁２の側から、結合用ビス７を縦胴縁２のビス通し孔１０に通し、断熱材４を貫通させ、パネルフレーム３側の下孔１２にねじ込み、縦胴縁２とパネルフレーム３とを締結状態に結合する。この締結過程で、間隔保持用のビス８，８が、縦胴縁２とパネルフレーム３との間で突っ張り、縦胴縁２とパネルフレーム３とはしっかりと結合される。
【００１４】
なお、こうして、縦胴縁２の取付けを終えたのち、外壁面材５を、面材取付け金物６、支持金物９等で取り付ければ、外壁パネル１に製作される。
【００１５】
上記の構造では、縦胴縁２とパネルフレーム３との間の間隔が間隔保持用ビス８，８で保持されているので、縦胴縁２とパネルフレーム３とを、例えば上記のような結合用ビス７で、断熱材４を介してしっかりと結合することができる。しかも、縦胴縁２とパネルフレーム３との間隔保持をビス８，８で行う構成としているので、従来のような専用スペーサーや、断熱材への孔明け、孔へのスペーサーの設置等を行う必要がなく、ビス８，８を打つだけでしっかりとした間隔保持状態を形成することができ、縦胴縁２とパネルフレーム３との結合を容易に行うことができる。
【００１６】
また、上記の実施形態では、縦胴縁２とパネルフレーム３との結合も、縦胴縁２とパネルフレーム３との間の間隔保持も、いずれも同種のビス７，８，８で行う構成しており、しかも、同じ側からのアクセスでビス７，８，８の取付けを行うようにしているので、断熱材４を介した縦胴縁２とパネルフレーム３との結合作業を能率良く行っていくことができる。
【００１７】
以上に、本発明の実施形態を示したが、本発明はこれに限られるものではなく、発明思想を逸脱しない範囲で各種の変更が可能である。例えば、上記の実施形態では、縦胴縁２とパネルフレーム３との結合をビス７で行った場合を示しているが、結合はビス以外の手段で行われてもよい。
【００１８】
また、上記の実施形態では、断熱材４を介した縦胴縁２とパネルフレーム３との結合に適用した場合を示しているが、本発明の結合構造は、外壁面材とパネルフレームとの結合に用いることもできるし、また、建物の外壁関係に限らず、建築分野をはじめとする各種産業分野において広く用いることができるものであることはいうまでもない。
【図面の簡単な説明】
【００１９】
【図１】図（イ）〜図（ハ）は、実施形態の結合構造の形成方法を順次に示すもので、図２（イ）のＩ−Ｉ線断面図である。
【図２】図（イ）は外壁パネルの平面断面図、図（ロ）は同分解平面断面図である。
【図３】同外壁パネルの分解斜視図である。
【図４】従来例を示すもので、図（イ）は結合構造の断面平面図、図（ロ）はスペーサーの斜視図である。
【符号の説明】
【００２０】
２…縦胴縁（一方の部材）
３…パネルフレーム（もう一方の）
４…断熱材
７…結合用ビス
８…間隔保持用ビス
１０…ビス通孔
【図１】
2005282141.tif 000003
【図２】
2005282141.tif 000004
【図３】
2005282141.tif 000005
【図４】
2005282141.tif 000006